【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
食品を調理するための装置であって、
−  食品調理チャンバ、
−  空気移動装置、
−  加熱装置、及び
−  空気案内手段、を有し、
前記食品調理チャンバは、調理されることになる食品を受け入れるための受入容積を少なくとも部分的に囲むコンテナ構造によって提供され、前記コンテナ構造は側壁及び底壁を有し、前記側壁の１つ及び／又は前記底壁は、通気性であり、前記受入容積への高温空気の侵入のための空気入口開口を備え、前記コンテナ構造は空気放出開口を有し、
前記加熱装置は、前記空気移動装置によって供給される空気流の空気を加熱するように構成され、
前記空気案内手段は、前記放出開口から前記加熱装置及び前記空気移動装置を経由して前記空気入口開口への空気ダクト装置を提供し、
前記空気移動装置は、空気入口及び空気出口を持つファンであり、前記ファンは、前記食品調理チャンバの側方に設けられ、
前記加熱装置は、前記受入容積から見えない所に配置され、
前記食品を調理するための装置の動作中、前記食品は、前記空気移動装置及び前記加熱装置によって供給される高温空気の通過流動によって主に調理される、
装置。
【請求項２】
前記空気移動装置として、空気吸引側及び空気吹出し側を有する前記ファンが設けられ、
使用において、前記空気は、平均吹出し方向を持って前記空気吹出し側において吹出され、
前記平均吹出し方向は、水平及び垂直の両方に対して傾斜角を備える、
請求項１に記載の装置。
【請求項３】
前記ファンは、軸方向空気入口及び半径方向空気出口を持つファンハウジングの内部の遠心ファンであり、
前記遠心ファンは、回転面の中で回転する翼を有し、
前記回転面は、水平及び垂直の両方に対して傾斜角を備える、
請求項１又は２に記載の装置。
【請求項４】
前記傾斜角は、約１０°から８０°の範囲の水平に対する角度を含む、
請求項２又は３に記載の装置。
【請求項５】
−  第１の線が、回転軸によって定められ、
−  第２の線が、前記回転面において前記第１の線と垂直に配置され、
−  第３の線が、前記底壁と垂直であり且つ前記底壁の中心を貫通し、
前記第１の線、前記第２の線及び前記第３の線は、１つの平面の中に配置されるとともに三角形を形成し、
前記三角形の内円は、前記装置のハウジング構造の内側に配置され、
前記第１及び前記第２の線は、前記ハウジング構造の高さの中間領域に配置される交差点を有し、
前記内円は、最大直径を有する、
請求項１乃至４のいずれか１項に記載の装置。
【請求項６】
前記装置は、卓上機器装置である、
請求項１乃至５のいずれか１項に記載の装置。
【請求項７】
前記加熱装置の熱放射から前記食品を遮蔽するための遮蔽要素をさらに有する、
請求項１乃至６のいずれか１項に記載の装置。
【請求項８】
前記加熱装置は、前記食品調理チャンバの側方に配置される、
請求項１乃至７のいずれか１項に記載の装置。
【請求項９】
空気ダクト装置が、幾つかの案内部分を有し、前記案内部分の中で空気流方向が変えられ、
第１の案内部分が、前記空気移動装置の後の下流に設けられ、第２の案内部分が、前記空気移動装置の前の上流に設けられ、
前記第１の案内部分は、前記第２の案内部分より、低い程度の前記空気流の方向の変化を提供する、
請求項１乃至８のいずれか１項に記載の装置。
【請求項１０】
センサ手段が、前記空気移動装置によって供給される空気流の空気温度を検出するために、前記空気移動装置と関連して設けられる、
請求項１乃至９のいずれか１項に記載の装置。
【請求項１１】
−  取外し可能なパン構造が、少なくとも部分的に前記食品調理チャンバの下に設けられ、前記取外し可能なパン構造と前記底壁との間の空気案内ダクトが、加熱された空気流を、前記空気出口から前記空気入口開口に案内するために、前記取外し可能なパン構造によって提供される、及び／又は
−  収集容積を持つ収集装置が、残留物を収集するために前記食品調理チャンバの下に設けられる、
請求項１乃至１０のいずれか１項に記載の装置。
【請求項１２】
前記コンテナ構造の下の水平空気流を前記空気入口開口の方へ上方方向に向ける空気案内要素が設けられ、
前記収集装置は、前記水平空気流から離れる方を向く側で前記空気案内要素の横に配置される、
請求項１１に記載の装置。
【請求項１３】
空気分配ダクトが、前記底壁の前記空気入口開口の下に設けられ、
空気ガイドが、前記空気入口開口の下の前記空気分配ダクトの下方表面に配置された隆起部として設けられ、
前記空気ガイドは、前記空気入口開口の下で、均一に分配された空気流が供給されるように、前記空気出口の吹出し方向の垂直方向に対して斜めにされた方法で配置される、
請求項１乃至１２のいずれか１項に記載の装置。
【請求項１４】
流れ拡散器が、前記空気出口と前記底壁の前記空気入口開口の下に設けられた空気分配領域との間に設けられ、
前記流れ拡散器は、前記空気出口の非対称の空気出力を補償するために、空気通過方向を横切る減少する断面を持つダクトセグメントとして提供される、
請求項１乃至１３のいずれか１項に記載の装置。
【請求項１５】
食品を調理するための方法であって、
ａ）  調理されることになる食品を受け入れるための受入容積を少なくとも部分的に囲むコンテナ構造によって提供される食品調理チャンバに前記食品を供給するステップ、
ｂ）  空気移動装置及び加熱装置を使用して前記食品調理チャンバの中で前記食品を調理するステップ、を含み、
循環空気流が、前記コンテナ構造の放出開口から前記加熱装置及び前記空気移動装置を経由して前記コンテナ構造の空気入口開口への空気ダクト装置を提供する空気案内手段によって提供され、
空気の移動のために、空気入口及び空気出口を持つファンが設けられ、前記ファンは、前記食品調理チャンバの側方に設けられ、
前記加熱装置は、前記受入容積から見えない所に配置され、
前記調理するステップにおいて、前記食品は、前記空気移動装置及び前記加熱装置によって供給される高温空気の通過流動によって主に調理される、
方法。
【手続補正２】
【補正対象書類名】明細書
【補正対象項目名】全文
【補正方法】変更
【補正の内容】
【発明の詳細な説明】
【発明の名称】エアフライヤ
【技術分野】
【０００１】
本発明は、食品の調理に関し、特に、食品を調理するための装置及び食品を調理するための方法に関する。
【背景技術】
【０００２】
食品を調理するための装置の例はフィリップスエアフライヤであり、これは、高温空気で、食品、例えば、フライ又はチキンを加熱調理することができる機器である。食品の調理のために食品を加熱するため、高温空気の流れが、食品の上を同食品を加熱するように動かされ、それぞれ加熱目的のために食品収容容積を通って吹かれる。このような機器は、例えば、家庭環境の中で使用されることができる。最適化された食品調理プロセスのために、出来る限り高い食品収容容積全体を通る空気流量（ａｉｒ  ｆｌｏｗ  ｒａｔｅ）が好ましい。高い流量は、比較的短い加熱調理時間及び高い食品品質を確実にする。特許文献１は、高温空気で食品を調理するための装置を記載する。しかし、より短い加熱調理時間及びより高い食品品質に対する要求、したがって、より高い空気流量に対する連続的に成長する要求があることが示されている。
【０００３】
特許文献２は、閉鎖調理チャンバに収容された食品を加熱するための加熱手段を有する閉鎖調理チャンバ、入口通路及び出口通路を有し、空気が換気チャンバと調理チャンバとの間で循環するように入口及び出口通路を通って調理チャンバに接続される換気チャンバ、調理チャンバと換気チャンバとの間で空気を循環させるための回転ファン、換気チャンバに隣接して配置されたリザーバ、及びリザーバの水を換気チャンバに放射状に噴霧するためのスプレーユニット、を有する加熱調理器を記載している。水の放射状の噴霧は、例えば、魚又は肉の調理によってもたらされるような、換気チャンバの中央の空気に含まれる匂い又は煙を封じると言われている。
【先行技術文献】
【特許文献】
【０００４】
【特許文献１】ＷＯ  ２０１２／０３２４４９  Ａ１
【特許文献２】ＷＯ  ２０１０／０９０３６９  Ａ１
【発明の概要】
【発明が解決しようとする課題】
【０００５】
高温空気で食品を調理するための改良された装置を提供する必要性があり得る。
【課題を解決するための手段】
【０００６】
本発明の目的は、独立請求項の主題によって解決され、さらなる実施形態は従属請求項に取り入れられる。以下に記載される本発明の態様はまた、食品を調理するための装置並びに食品を調理するための方法に適用されることが留意されるべきである。
【０００７】
本発明によれば、食品を調理するための装置が提供され、食品調理チャンバ、空気移動装置、加熱装置、及び空気案内手段を有する。食品調理チャンバは、調理されることになる食品を受け入れるための受入容積を少なくとも部分的に囲むコンテナ構造によって提供され、コンテナ構造は、側壁及び底壁を有する。側壁の１つ及び／又は底壁は、通気性であり、受入容積への高温空気の侵入のための空気入口開口を備える。コンテナ構造はさらに、空気放出開口を有する。加熱装置は、空気移動装置によって供給された空気流の空気を加熱するように構成される。空気案内手段は、放出開口から加熱装置及び空気移動装置を経由して空気入口開口への空気ダクト装置を提供する。空気移動装置は、空気入口及び空気出口を持つファンである。ファンは、食品調理チャンバの側方に設けられる。加熱装置は、受入容積から見えない所に配置される。装置の動作中、食品は、空気移動装置及び加熱装置によって供給される高温空気の通過流動によって主に調理される。
【０００８】
食品調理チャンバの側方にファンを設けることによって、空気流経路が、ファンを空気入口開口の近くに配置することによって改良され、そこでは最も強力な空気流が、調理されることになる食品への高温空気の適切且つ分散された侵入のために必要とされる。
【０００９】
「空気案内手段は空気ダクト装置を提供する」の表現は、循環空気流を可能にする空気ダクトに関連する。これは、特定の空気流路又は空気導管によって提供されることができる。しかし、これはまた、代替的に又は追加で、異なる装置及び／又は要素を囲む装置のハウジングによって提供されることができる。例えば、空気案内手段は、空気移動装置の近くに空気ダクトセグメントを有し、空気移動装置から食品調理チャンバに及びそこから戻って空気移動装置に空気を案内する。他の例では、空気移動装置のようなかなり強いファンが循環空気流を提供するハウジングの中に設けられ、ハウジングは空気ダクトを提供する。例えば、空気移動装置及び食品調理チャンバは、食品調理チャンバのバイパス空気流が妨げられるように、例えば、食品調理チャンバがハウジングの内側側壁の近くに配置され、空気移動装置もまたハウジングの内側側壁の近くに配置され、並びに空気移動装置及び食品調理チャンバが互いに近くに配置されるように、配置される。
【００１０】
「高温空気の通過流動（ｔｈｒｏｕｇｈ−ｓｔｒｅａｍｉｎｇ  ｏｆ  ｈｏｔ  ａｉｒ）」の表現は、高温空気によって調理されることになる食品への熱の供給を示す。空気は、食品の山の上面に達するだけではなく、食品の山の内部空間、例えば、フレンチフライの山の中にも到達する。このフレンチフライは、英語でチップス（ｃｈｉｐｓ）、フランス語でフリット（ｆｒｉｔｅｓ）そしてドイツ語でポムフリット（Ｐｏｍｍｅｓ  Ｆｒｉｔｅｓ）とも呼ばれる。「高温空気の通過流動」の表現は、食品、すなわち、食品の集積物又は食品の塊とも呼ばれる、食品の山、の中を通る高温空気に関連する。したがって、高温空気は、食品の外側の境界の周りを動かされるだけでなく、直接、実際に加熱する、すなわち、食品部分の主要部分の内部のような、外側の境界領域の内部の場所に熱を直接伝達する。もちろん、フレンチフライの他に、同様の構造を持つ他の食品、すなわち、多数の１つの部分の形態又は盛られた、一括りにされた若しくは積み上げられた様式の食品も提供される。したがって、「高温空気の通過流動」は、食品チャンバ全体への熱分布だけでなく、食品の内部への熱伝達も提供する。
【００１１】
加熱装置は、受入容積から見えない所に配置される。加熱装置を受入容積から見えない所に配置することによって、熱放射（ｈｅａｔ  ｒａｄｉａｔｉｏｎ）のための直接経路が妨げられる。したがって、対流が、調理されることになる食品への熱の伝達のための主要なソースである。言い換えると、より高い空気流と組み合わせて、増加された出力を持つヒータ、すなわち、空気流へのより高い熱伝達能力を持つヒータが、改良された熱伝達のために提供されることができる。ヒータ出力は、空気流（ｌ／ｓ）によって決定されるので、より高い空気流は、より高い出力のヒータが、食品容積の下方と上方部分との間に大き過ぎる温度差を作ること無しに使用されることができることを意味する。上部からの放射が妨げられる、すなわち、ブロックされるので、もはや放射と対流の間の絶妙なバランスを達成する必要が無い。したがって、ユーザが食品で機器をいっぱいにし過ぎ、より低い空気流をもたらす場合であっても、通常の充填レベルで調理される場合より食品の品質は低いが、食品がヒータ放射に曝される場合に比べてより良い食品品質が提供される。より高いヒータ温度をもたらすより低い流量の場合でさえ、ヒータはより低い流量であまり冷却されないが、適切な熱分布が、食品に対する唯一の熱源として対流を提供することによって確実にされる。例えば、対流熱を運ぶ空気の温度は、温度測定装置によって測定され得る。減少する流量、したがって、増加するヒータ温度の場合、温度測定装置は、空気温度が高過ぎる、すなわち、臨界、レベルに達する場合に、ヒータをスイッチオフし得る。ヒータがヒータの直接の視線の中にある状況では、ヒータエネルギの一部のみが対流によって運ばれるので、より高いヒータ温度は、より高い空気温度を部分的にしかもたらさない。特に、食品が（プロセスの開始時に）まだ比較的冷たい状況では、食品が気流を冷却するので、放射への過剰露出は検出されない。加熱装置を受入容積の見えない所に（ｏｕｔ−ｏｆ−ｓｉｇｈｔ）配置することによって、これは防がれる。異なる種類の食品は異なる可能な通過流量（ｆｌｏｗ−ｔｈｒｏｕｇｈ  ｒａｔｅ）を有するので、これはまた、ますます変化する範囲の食品を調理したいという要求を考慮する。放射は熱源として除外されるので、放射と対流の適切なバランスに対する必要性はもはやない。したがって、ヒータの寿命の間のヒータの放射率（ｒａｄｉａｔｉｏｎ  ｅｍｉｓｓｉｖｉｔｙ）の変化も考慮に入れられる。ヒータの出力が減少する場合、単純に食品を調理するための時間を増やすことが必要とされる。しかし、放射と対流の適切なバランスを監視し且つ調整する必要が無いので、食品の品質は最適化される。
【００１２】
ヒータはただ、又は少なくとも大部分は、対流の形態で、すなわち、高温空気流の形態で、そして放射によってではなく、熱エネルギを供給する。したがって、異なる食品の種類及び量であっても、高温空気の形態の熱源は、良好且つ均質の食品品質並びにまた短い又は少なくとも最小化された調理時間をもたらす。したがって、増大する範囲の食品が調理されることができる。
【００１３】
「見えない所に」の表現はまた、ヒータが、例えば７０％以上の程度見えない所に置かれる配置を含む。例では、９０％は見えない所である。例えば、加熱装置は、熱供給表面を持つ１又は複数の加熱要素を有する。熱供給表面の幾つかの部分は、食品調理チャンバを向く、すなわち食品調理チャンバの方向にある。以下は「見えない所」を意味する：食品調理チャンバから見ると、食品調理チャンバに面した熱供給表面の大部分は、見えない、すなわち遮蔽されている。例えば、ヒータが光源に交換される場合、光供給表面の少ししか食品調理チャンバから見られない、又は光が全くない。
【００１４】
例えば、加熱装置によって供給される熱は、食品に向かい放射から遮蔽又はブロックされる。これは、熱、すなわち、熱エネルギが、高温空気によってのみ（又は少なくとも最大の範囲で）食品に伝達される配置を提供する。もちろん、高温空気はまた、エンクロージャ又は側壁を加熱し得、これらの表面がその後放射により熱を食品に伝達する。しかし、この熱伝達は、高温空気による熱伝達との関連で無視できる。例えば、高音空気を介する、すなわち、対流を介する熱伝達は、食品への熱エネルギ伝達の少なくとも７０％であるように供給される。例では、熱の少なくとも８０、例えば最小９０又は９５％が高温空気によって供給される。
【００１５】
「見えない所に」の表現は、熱放射の直接経路に関連する。例えば、熱放射経路は、光学的な経路から独立している、すなわち、直接（見える）光の線に無関係である。例えば、放射熱はフィルタ又は空気分配要素を通過し得る一方、フィルタ越しに見ることができない、すなわち、フィルタは非透明である。本発明の例によれば、ヒータは、高温表面を通過した空気流（換気装置又はファンのような空気移動手段により強制された気流）による熱の対流のために設けられた加熱要素、例えば、高温表面による放射された熱が、放射も提供するように、配置される。しかし、放射熱が食品コンテナの食品に影響を及ぼさない手段が提供される。例では、手段は、食品コンテナの側部への、すなわち、コンテナの側壁の外側に隣接した、加熱要素の配置を含み得る。手段は、放射の熱伝達を防ぐための遮蔽要素を含み得る。例えば、コンテナ側壁は、加熱要素と食品を受け入れるように配置されたコンテナ容積の一部との間に配置され得る。他の例では、別個の保護要素が、加熱要素からの熱放射に対する遮蔽を提供する。他の例では、加熱要素は、それらが食品から離れる方向にのみ熱を放射するように配置される。
【００１６】
例では、空気流は、高速で、特に高流量で食品調理チャンバに供給される。例えば、約最小２０ｌ／ｓｅｃの空気流量が供給される。
【００１７】
例では、空気流経路が、断面における最小数の変化で提供される。例えば、空気が換気装置（ｖｅｎｔｉｌａｔｉｏｎ  ｄｅｖｉｃｅ）を出るポイントから空気が再び換気装置に入るポイントへの約最大４０％の範囲でのみその断面を変化させる空気流経路が提供される。他の例では、断面の変化は、最大約２０％の範囲で提供される。ノズルは、避けるべきである。
【００１８】
例では、ノズル無しの空気流経路が配置される。
【００１９】
例では、食品を調理するための装置は、主に高温空気によって、調理されることになる食品に熱を供給する。例では、一方向加熱が、高温空気によって提供される、すなわち、高温空気は、食品調理チャンバの食品に作用する、又は影響を及ぼす唯一の熱源である。
【００２０】
コンテナ構造によって提供される食品調理チャンバは、例えば、容易にされた方法で食品を挿入するための、そしてまた、調理後に再び装置から調理された食品を取るためのメッシュ構造を持つ、バスケット構造のようなインサートを有し得る。コンテナ構造はまた、充排目的並びに洗浄目的のために取外し可能であり得る。
【００２１】
例によれば、空気移動装置として、空気吸引側及び空気吹出し側を有するファンが設けられる。使用において、空気は、平均吹出し方向を持って空気吹出し側において吹出され、平均吹出し方向は、水平及び垂直の両方に対して傾斜角を備える。
【００２２】
空気流が、既に傾斜角度を備え、例えば下面に、垂直にぶつからないので、これは、ファンからの空気流を案内する要求が減らされるという利点を提供する。これはまた、空気吹出し側における空気流が、循環空気流経路に関して最大空気速度を示し得るという点で有利である。
【００２３】
平均吹出し方向は、換気される、すなわち動かされる空気の主な又は主要な吹出し方向として見られることができる。しかし、空気流の実際の吹出し特性は直接見えないので、以下の点が留意される：極めて一般的な例では、ファンは、回転ブレードのような、空気を動かすための少なくとも１つの回転部分を有するので、回転軸が提供される。ブレード等のような空気移動要素の回転は、それぞれの吹出し方向をもたらす。例えば、空気移動装置は、平均吹出し方向が回転の軸と整列される、例えば、回転軸と平行である、軸流ファンとして提供されることができる。他の例として、空気移動装置は、平均吹出し方向が回転ブレードに関する接線と整列し、接線は回転軸と垂直である、ラジアルファンとも称される、遠心ファンとして提供されることができる。したがって、回転軸の方向はまた、空気流に対する基本的な方向、例えば、軸流ファンの場合平行、又は遠心ファンの場合垂直、を決定する。
【００２４】
例では、回転の軸は、水平及び／又は垂直に対して傾斜した角度で提供される。例によれば、ファンは、軸方向空気入口及び半径方向空気出口を持つファンハウジングの内部の遠心ファンである。遠心ファンは、回転面の中で回転する翼を有し、回転面は、水平及び垂直の両方に対して傾斜角度を備える。
【００２５】
これは、ファンを出る空気が、ファンの内部で行われる空気案内より逸脱又は空気案内が少なくて済むという利点を提供する。言い換えると、ファン内部の空気流の方向の略垂直の変化は、食品調理チャンバからファンに向かう空気流が９０°より大きい角度を備え、並びに、ファンから出る空気も、食品調理チャンバに適用される前に９０°より大きい方向の変化を示すように、空気流経路に組み込まれる。空気流経路の最も急な曲げはファン自体の中で生じる。急な曲げは、空気流に対する増加した流れ抵抗を意味するので、高い流速を持つ流れ領域における９０°より大きい角度の提供は、流れを最大化するために流れ抵抗を最小化することに関して利点を意味する。ファン内部のかなり急な曲げ、又はさらに最も急な曲げの提供は、流れがいずれにせよここのファンブレードによって影響されるということを考慮に入れる。
【００２６】
例によれば、傾斜角度は、約１０°から８０°の範囲の水平に対する角度を含む。例えば、約４５°の角度が提供される。
【００２７】
これらの方向から異なる解決方法が提供され得るとともにこの解決方法が構造的な空気案内手段を提供することを当業者も理解することが留意されなければならない。
【００２８】
傾斜配置はまた、コンパクトなハウジングの利点を提供する。
【００２９】
さらなる例によれば、第１の線が、回転軸によって定められ、第２の線が、回転面において第１の線と垂直に配置され、第３の線が、底壁と垂直であり、底壁の中心を貫通する。第１の線、第２の線及び第３の線は、１つの平面の中に配置され、三角形を形成する。三角形の内円は、装置のハウジング構造の内側に配置される。第１及び第２の線は、ハウジング構造の高さの中間領域に配置される交差点を有する。内円は、最大直径を有する。
【００３０】
さらなる例によれば、装置は、卓上機器（ｄｅｓｋ−ａｐｐｌｉａｎｃｅ）装置である。用語「卓上機器」は、家庭用途に適している装置を示し、この装置は、家庭用途のために、キッチン若しくはテーブルの異なる作業面に置かれることができる、又は棚又は戸棚に置かれることができる。卓上機器は、手動で動かされ且つ一人の人によって異なる場所に運ばれることができる。家庭用途のために、機器によって占有される体積は、できる限り小さいサイズに制約される。例では、卓上機器は、携帯機器に関連する。
【００３１】
例によれば、加熱装置は、食品調理チャンバの側方に配置される。
【００３２】
さらなる例によれば、空気ダクト装置が、幾つかの案内部分を有し、その中で空気流方向が変えられる。第１の案内部分が、空気移動装置の後の下流に設けられ、第２の案内部分が、空気移動装置の前の上流に設けられる。第１の案内部分は、第２の案内部分より、低い程度の空気流の方向の変化を提供する。
【００３３】
さらなる例によれば、収集容積を持つ収集装置が、残留物を収集するために食品調理チャンバの下に設けられる。
【００３４】
したがって、それは、例えば、機器の取外し可能なパンの特定の場所の油及び小片を収集するために設けられる。食品から生じる油及び小片は、ファンシステムを出る高温空気によってこの場所に吹き飛ばされる。調理プロセス後、消費者は、清掃のためにこの場所に簡単にアクセスすることができる。これは、より頻繁な清掃につながり得るとともに、繰り返される加熱によって油が表面に焼き付くことを防ぐ。さらに、機器の中の最も重要な空気流経路の妨害も防ぐ。これは、機器の性能が使用中に均一であることをサポートする。他の態様は、空気温度が調理プロセス中に発煙を防ぐのに十分低いところの位置に油及び小片体積が位置し得ることである。
【００３５】
他の態様によれば、収集装置は、上述の特徴と関連して、しかし、例えば、空気移動装置の傾斜配置又は加熱装置の見えない所の配置なしで、提供されることが、明確に留意される。例えば、食品を調理するための装置が提供され、食品調理チャンバ、空気移動装置、加熱装置、及び空気案内手段を有する。食品調理チャンバは、高温空気の通過流動によって調理されることになる食品を受け入れるための受入容積を少なくとも部分的に囲むコンテナ構造によって提供される。コンテナ構造は、側壁及び底壁を有する。側壁の１つ及び／又は底壁は、通気性であり、受入容積への高温空気の侵入のための空気入口開口を提供する。コンテナ構造はさらに、空気放出開口を有する。加熱装置は、空気移動装置によって供給された空気流の空気を加熱するように構成される。空気案内手段は、放出開口から加熱装置及び空気移動装置を経由して空気入口開口への空気ダクト装置を提供する。他の態様によれば、収集容積を持つ収集装置が、残留物、例えば、油及び小片、を収集するために食品調理構造の下に設けられる。
【００３６】
さらなる例によれば、コンテナ構造の下の水平空気流を空気入口開口に向かう上向き方向に向ける空気案内手段が、設けられる。収集装置は、水平空気流から離れる方を向く側で空気案内手段の横に配置される。
【００３７】
さらなる例によれば、空気分配ダクトが、底壁の空気入口開口の下に設けられる。空気ガイドが、空気入口開口の下の空気分配ダクトの下方表面に配置された隆起部（ｅｌｅｖａｔｉｏｎ）として設けられる。空気ガイドは、空気入口開口の下で均一に分配された空気流が供給されるように、空気出口の吹出し方向（ｏｕｔ‐ｂｌｏｗｉｎｇ  ｄｉｒｅｃｔｉｏｎ）の垂直方向に対して斜めにされた方法で配置される。
【００３８】
例えば、隆起部は、空気分配ダクトの断面に渡って延びている。例では、隆起部は、例えば１つの部分において又は離れた部分においても、断面の少なくとも３分の１に渡って延びている。さらなる例では、隆起部は、断面の少なくとも半分に渡って延びている。さらなる例では、隆起部は、全断面に渡って延びている。
【００３９】
斜めにされた又は回転された空気ガイドは、ファンシステムからの不均一な空気流を、例えばフライを受けるための例えば食品バスケットの、底部表面に渡って均一に分配された空気流に変換する。断面図において、回転は見えないことが留意されなければならない。
【００４０】
さらなる態様によれば、空気分配ダクトは、上述の特徴と関連して、しかし、例えば、空気移動装置の傾斜配置又は加熱装置の見えない所の配置なしで、提供されることが、明確に留意される。例えば、食品を調理するための装置が提供され、食品調理チャンバ、空気移動装置、加熱装置、及び空気案内手段を有する。食品調理チャンバは、高温空気の通過流動によって調理されることになる食品を受け入れるための受入容積を少なくとも部分的に囲むコンテナ構造によって提供される。コンテナ構造は、側壁及び底壁を有する。側壁の１つ及び／又は底壁は、通気性であり、受入容積への高温空気の侵入のための空気入口開口を提供する。コンテナ構造はさらに、空気放出開口を有する。加熱装置は、空気移動装置によって供給された空気流の空気を加熱するように構成される。空気案内手段は、放出開口から加熱装置及び空気移動装置を経由して空気入口開口への空気ダクト装置を提供する。他の態様によれば、空気分配ダクトが、底壁の空気入口開口の下に設けられ、空気ガイドが、空気入口開口の下の空気分配ダクトの下方表面に配置された隆起部として設けられる。空気ガイドは、空気入口開口の下で均一に分配された空気流が供給されるように、空気出口の吹出し方向の垂直方向に対して斜めにされた方法で配置される。
【００４１】
例えば、隆起部は、空気分配ダクトの断面に渡って延びている。例では、隆起部は、例えば１つの部分において又は離れた部分においても、断面の少なくとも３分の１に渡って延びている。さらなる例では、隆起部は、断面の少なくとも半分に渡って延びている。さらなる例では、隆起部は、全断面に渡って延びている。
【００４２】
さらなる例によれば、流れ拡散器が、空気出口と底壁の空気入口開口の下に設けられた空気分配領域との間に設けられる。流れ拡散器は、空気出口の非対称の空気出力を補償するために、空気通過方向を横切る減少する断面を持つダクトセグメントとして提供される。
【００４３】
さらなる態様によれば、流れ拡散器は、上述の特徴と関連して、しかし、例えば、空気移動装置の傾斜配置又は加熱装置の見えない所の配置なしで、提供されることが、明確に留意される。例えば、食品を調理するための装置が提供され、食品調理チャンバ、空気移動装置、加熱装置、及び空気案内手段を有する。食品調理チャンバは、高温空気の通過流動によって調理されることになる食品を受け入れるための受入容積を少なくとも部分的に囲むコンテナ構造によって提供される。コンテナ構造は、側壁及び底壁を有する。側壁の１つ及び／又は底壁は、通気性であり、受入容積への高温空気の侵入のための空気入口開口を提供する。コンテナ構造は、空気放出開口を有する。加熱装置は、空気移動装置によって供給された空気流の空気を加熱するように構成される。空気案内手段は、放出開口から加熱装置及び空気移動装置を経由して空気入口開口への空気ダクト装置を提供する。さらなる態様によれば、流れ拡散器が、空気出口と底壁の空気入口開口の下に設けられた空気分配領域との間に設けられる。流れ拡散器は、空気出口の非対称の空気出力を補償するために、空気通過方向を横切る減少する断面を持つダクトセグメントとして提供される。
【００４４】
さらなる例では、空気ダクト壁はまた空気流を有益な方向に曲げることをサポートするので、傾斜位置のための空気ダクト壁は、外側の、又は最下位置の空気ダクト壁である。空気ダクトは、空気曲げシステムの一部になり、３６０°未満の曲げの合計を保つための戦略に適合する。
【００４５】
高温空気の流動方向に関連する「曲げ」及び「曲げの角度」の表現は、真直ぐな方向に対する空気流の方向の偏向又は角度変化に関する。例えば、曲げが無い場合、すなわち、空気流方向が変化しない場合、角度は、０°の角度と称され、５°の角度を持つ曲げは、横への空気流方向の僅かな変化に関連する。空気流方向が直角の方法で変化するように空気流が案内される場合、これは９０°の曲げの角度と称され、Ｕターンのような偏向、言い換えると逆転の方法での空気案内は、１８０°の角度の曲げである。
【００４６】
本発明によれば、食品を調理する方法も提供され、以下のステップを含む。第１の提供ステップでは、食品が、調理されることになる食品を受け入れるための受入容積を少なくとも部分的に囲むコンテナ構造によって提供される食品調理チャンバに供給される。第２の提供ステップでは、食品調理チャンバの食品が、空気移動装置及び加熱装置を使用して調理される。循環空気流が、コンテナ構造の放出開口から加熱装置及び空気移動装置を経由してコンテナ構造の空気入口開口への空気ダクト装置を提供する空気案内手段によって提供される。空気の移動のために、空気入口及び空気出口を持つファンが設けられる。ファンは、食品調理チャンバの側方に設けられる。加熱装置は、受入容積から見えない所に配置される。第２の提供ステップは、主に空気移動装置及び加熱装置を使用する高温空気による食品の通過流動によって食品を調理することを含む。
【００４７】
本発明の態様によれば、流路の抵抗が最小にされ、最大３６０°の空気再循環システムにおける曲げの全ての角度の最小の合計を目指す、エアフライヤが提供される。１つの例では、ファンを出る空気が、空気流を食品チャンバに向ける更なる空気ガイドに達する前に、比較的滑らかな曲げ、又は滑らかな空気の偏向をしなければならないように、ファンハウジングの出口が設けられる。これらの場所での高い空気速度のために、乱流及び摩擦に起因する損失が最小にされ、比較的低い空気抵抗、したがってより高い全流量並びに空気ガイドを経由して食品に入る空気のより大きい勢いをもたらす。例では、ファンは、空気がファンに入る前に方向を変えなければならないように配置されるが、この場所において、空気速度は少なくとも少し低く、またいわゆる圧力をかけられている又は吸引があるので、それは重大ではない。このような曲げを通って空気を吹くことと比較して、例えば断面の変化はより少ない乱流及び損失をもたらし得るので、断面の変化とともに、この曲げにおいて吸引を使用することが好ましい場合がある。
【００４８】
本発明のさらなる態様によれば、チャンバの内部の食品へのヒータからの熱の直接放射が取り除かれ且つ妨げられるようにヒータが設けられる。したがって、ヒータは、ヒータを通る空気流に熱を伝達するのみであり、空気流が食品調理チャンバの内部の食品を加熱するための唯一の熱源であることをもたらす。したがって、放射熱と対流熱の潜在的なアンバランスも取り除かれ、これは、熱エネルギ及び空気換気、又は空気流の供給の調整が容易にされることを意味する。
【００４９】
本発明のこれらの及び他の態様は、以下に記載される実施形態から明らかになるであろうとともに、同実施形態を参照して説明されるであろう。
【図面の簡単な説明】
【００５０】
本発明の例示的な実施形態が、以下の図面を参照して以下に記載されるであろう。
【図１】食品を調理するために装置の例の概略断面を示す。
【図２】図２Ａのスクロールハウジングの内部の遠心ファンを持つ第１の例の、図２Ｂの軸流ファンを持つ第２の例の、及び図２Ｃのクロスフローブロワの第３の例の、食品を調理するための装置の概略断面のさらなる例を示す。
【図３】食品を調理するために装置のさらなる例を通る断面を概略的に示す。
【図４】図４Ａ、４Ｂ、及び４Ｃにおいて、食品を調理するために装置の概略断面との関連で幾何学的な関係の例を示す。
【図５】受入容積から見えない所に配置された加熱装置を持つ食品を調理するための装置の概略断面のさらなる例を示す。
【図６】食品調理チャンバの下に収集装置を持つ食品を調理するための装置のさらなる例の概略断面を示す。
【図７】図７Ａに概略断面で、及び図７Ｂに（食品調理チャンバ及び空気移動装置などは示されていない）斜視図で、食品調理チャンバの入口開口の下に空気ガイドを持つ食品を調理するための装置のさらなる例を示す。
【図８】食品調理チャンバの入口開口の下で空気移動装置と空気分配ゾーンとの間に流れ拡散器を持つ食品を調理するための装置のさらなる例の断面を示す。
【図９】食品を調理する方法の基本的なステップを示す。
【発明を実施するための形態】
【００５１】
図１は、食品を調理するための装置１０を示す。例えば、装置１０は、卓上機器装置である。装置１０は、食品調理チャンバ１２、空気移動装置１４、加熱装置１６、及び空気案内手段を有する。空気案内手段は、図１において点線１８で示され、矢印２０との組み合わせで、空気流を概略的に示していることが留意される。食品調理チャンバ１２は、高温空気の通過流動によって調理されることになる食品を受け入れるための受入容積２４を少なくとも部分的に囲むコンテナ構造２２によって提供される。受入容積２４は、上側の点線で示される。さらに、コンテナ構造２２は、側壁２６及び底壁２８を有する。側壁２６の１つ及び／又は底壁２８は、通気性であり、受入容積への高温空気の侵入のための、矢印３０で示される、空気入口開口を備える。空気入口開口３０は、底壁２８の表面全体に渡って、又は選択された領域に設けられ得ることが留意される。さらに、コンテナ構造は、上方の矢印３２で示されるように、空気放出開口を有する。空気放出開口は、図１に示されるように、上方表面全体に渡る開口によって提供され得る。加熱装置１６は、空気移動装置１４によって供給された空気流の空気を加熱するように構成される。さらに、空気案内手段１８は、放出開口３２から加熱装置１６及び空気移動装置１４を経由して空気入口開口３０への空気ダクト装置３４を提供する。
【００５２】
空気移動装置１４は、空気入口３８及び空気出口４０を持つファン３６である。ファン３６は、食品調理チャンバ１２の側方に設けられる。図１に示される例によれば、加熱装置１６は、食品調理チャンバ１２の側方に設けられることが留意される。しかし、他の配置も提供されることができ、例えば、点線の円４２で示されるように、食品調理チャンバ１２の上の加熱装置１６の場所を示す。
【００５３】
以下により詳細に記載される例によれば、加熱装置１６は、受入容積２４から見えない所に配置される。
【００５４】
外側フレーム構造が、食品を調理するための装置を囲む可能なハウジングを示す。もちろん、ハウジングは、食品を食品調理チャンバ１２に満たすための挿入開口を備えることができ、これはまた以下の他の図面と関連してより詳細に記載される。
【００５５】
図２では、空気移動装置１４として、ファン１４が設けられ、このファンは、空気吸入側４６及び空気吹出し側４８を有する。空気吸入側４６の隣に、矢印が示され、空気が空気吸入側で吸い込まれていることを示していることが留意される。使用において、空気は、平均吹出し方向５０を伴って空気吹出し側で吹出される。平均吹出し方向５０は、水平及び垂直の両方に対して傾斜角度５２を備える。例えば、水平は、ハウジング構造５５の水平部分５４と見なされ、垂直は、ハウジング構造５５の垂直部分５６と見なされる。
【００５６】
図２Ａは、矢印と整列される軸方向空気入口方向４６、及び矢印と整列される半径方向空気出口４８を持つ遠心ファン５８としてのファン４４の例を示す。線６０は、回転の軸を示している。
【００５７】
図２Ｂは、矢印と整列される、軸方向空気入口４６、及び矢印と整列される、半径方向空気出口４８を持つ軸流ファンとしてのファン４４を示す。軸流ファン６２は、回転軸６４の周りを回転するファンを有する。回転軸６４は、傾斜角度５２と同様に、水平及び垂直の両方に対して傾斜角度を備える。
【００５８】
例では、ファン４４は、食品調理チャンバが使用中であるとき、食品調理チャンバの側方に設けられる。
【００５９】
図２Ｃは、回転軸６８の周りを回転する回転構造、すなわち描画面に対して垂直である円筒様構造、を持つクロスフローブロワ又はクロスフローファン６６の形態のファン４４を示す。
【００６０】
図３は、さらなる例を示し、ファン４４は、軸方向空気入口７２及び半径方向空気出口７４を持つファンハウジングの内部の遠心ファン７０である。遠心ファンは、回転軸８０周りに回転面７８の中で回転するファン７６を有する。回転面７８は、水平及び垂直の両方に対して、傾斜角度、例えば、角度８２を備える。
【００６１】
遠心ファンは、第１の方向から来て第２の方向に離れる空気流の統合された案内を提供し、第２の方向は、第１の方向から約３０°から１２０°、例えば約９０°異なる。
【００６２】
傾斜角度は、空気移動装置１４から来る空気流の偏向又は案内が、食品調理チャンバ１２の下の領域に達するように、９０°より小さい量で必要であるように、提供される。例えば、傾斜角度は、約１０°から８０°の範囲の水平に対する角度を有する。例では、角度は、約３０°から６０°の範囲で、例えば約４５°で提供される。
【００６３】
図４Ａ、４Ｂ、及び４Ｃを参照すると、さらなる例の幾何学的関係が以下に説明される。装置１０は、ハウジング構造を示す、長方形フレーム１００によって示される。さらに、食品調理チャンバ１２が象徴的に示される。さらに、第１の線１０２が、遠心ファンの回転軸によって定義され、これはそれ以上示されない。第２の線１０４が、第１の線１０２と垂直に、上述のような、回転面に配置される。第３の線１０６が、底壁２８と垂直であり且つ底壁２８の中心を通って延びている。第１の線１０２、第２の線１０４、及び第３の線１０６は、１つの平面内に配置され、第１の線１０２の第１のセクション１１０によって提供される三角形１０８を形成し、第１のセクション１１０は、第１の線１０２の第２の線１０４との交点から第１の線１０２の第３の線１０６との交点に延びる。三角形１０８はさらに、第２の線１０４の第２のセクション１１２によって定められ、第２のセクション１１２は、第２の線１０４の第１の線１０２との交点から第２の線１０４の第３の線１０６との交点に達する。三角形１０８の第３の辺として、第３の線１０６の第３のセクション１１４が定められ、第３のセクション１１４は、第３の線１０６の第１の線１０２との交点から第３の線１０６の第２の線１０４との交点に延びる。三角形１０８の内円１１６が装置のハウジング構造１００の内部に配置される。第１及び第２の線は、ハウジング構造の高さの中間領域に配置される交差ポイント１１８を有する。高さは、両矢印１２０で示される。本発明によれば、内円１１６は、最大直径１２２を有する。
【００６４】
「中間領域」は、高さの中央３分の１に配置される高さに関連する。高さの中央の交点の配置は、ファン、例えば、遠心ファンの最大直径を可能にする。
【００６５】
図４Ｂは、第１の線１０２、第２の線１０４、及び第３の線１０６のさらなる可能な配置を示し、第１の線１０２及び第２の線１０４は、互いに垂直に保持されるが、第３の線１０６に対して、すなわち、約１０°から３０°時計回り方向に、共に傾けられる。より良い理解のために、第１の点線１２４は、図４Ａの第１の線１０２の位置を示し、第２の点線１２６は、図４Ａの第２の線１０４の位置を示す。第１の線１０２、第２の線１０４、及び第３の線１０６は三角形を形成するが、図４Ａと比較して異なる比を持つ。最大直径を持つ三角形の内円が、点線の円１２８によって示される。しかし、この内円１２８は、ハウジング構造１００の外側に拡がる。したがって、ハウジング構造１００の内部に配置された三角形の内円は、実線の円１３０で示されるように、より小さくなければならない。
【００６６】
図４Ｃは、さらなる例を示し、そこでは、互いに垂直である、第１の線１０２及び第２の線１０４は、反時計回りに互いに僅かに回転され、円１３０、すなわち、点線の円が、三角形の内円を示すが、実線の円１２８がハウジング構造１００の内部に及び三角形の内円として配置される円の最大直径を示す、同様の状況をもたらす。
【００６７】
したがって、最大直径を持つ内円を提供するために、三角形の角度形成の程度が、水平及び垂直の両方に対して約４５°を持つ第１及び第２の線１２０、１０４を提供することによって良くバランスされるべきである。
【００６８】
図５は、装置１０のさらなる例を示し、加熱装置１６は、受入容積２４から見えない所に配置される。空気移動装置１４が概略的に示されていることが留意されなければならない。空気移動装置１４は、異なるバリエーションで提供されることができる。さらに、加熱装置１６も、加熱装置１６から受入容積２４への直接の視線が除外される、すなわち、妨げられる限り、様々なバリエーションで配置されることが留意されなければならない。
【００６９】
例えば、加熱装置１６は、食品調理チャンバ１２の側方に配置される。
【００７０】
例では、空気ダクトが、ファン、例えば、遠心ファンの出口と、底壁の空気入口開口との間に設けられ、これはまた以下に記載される。
【００７１】
図３を参照すると、幾つかのさらなる例が記載される。２つの線１３８によって示されるように、空気ダクト装置は、幾つかの案内部分を有し、この案内部分では、空気流方向が変えられる。空気案内部分はまた、さらに詳細に示されないハウジング部分又は要素によって提供され、この理由でそれらは参照番号でラベルされていない。より良い理解のために、単純化された循環空気流１４０が示されている。例えば、空気移動装置１４から出る高温空気は、案内部分１３８のためにその方向を僅かに変えている。さらに、空気流は、曲げ部分１４２で示されるように、底壁２８の下でその方向を変えている。次に、空気流は、調理されることになる食品を通って流れ、食品を出た後、すなわち、空気放出開口３２において、さらなる曲げ部分１４４によって示されるように、方向のさらなる変化が提供される。側壁の上の部分に達した後、さらなる曲げ部分１４６がさらなる案内部分を示す。さらに、空気移動装置１４の内部に配置された曲げ部分１４８が、空気流方向のさらなる変化が提供されることを示す。
【００７２】
例によれば、第１の案内部分、例えば、案内部分１３８が、空気移動装置１４に続いて、下流に設けられ、第２の案内部分、例えば、案内部分１４６が、空気移動装置１４の前に上流に設けられる。第１の案内部分１３８は、より低い程度の第２の案内部分１４６より、空気流の方向の変化を提供する。
【００７３】
例えば、空気流に対する最も急な曲げを伴う案内部分は、空気移動装置、例えば、ファンの吸引側に設けられる。最小の急な曲げは、空気移動装置出口の近くで提供される。
【００７４】
例では、空気ダクト装置の全ての案内部分から、第２の案内部分が、空気流の方向の変化の最大の程度を提供し、第１の案内部分は、空気流の方向の変化の最小の程度を提供する。
【００７５】
好ましくは、案内部分は、最大空気流、すなわち最小にされた空気流抵抗を提供するために、最小数の曲げを提供している。例では、空気ダクト装置は、約３６０°の曲げの和を提供する案内部分を備える。
【００７６】
図３と関連しても示される、さらなる例では、ハウジング構造１００は、上からコンテナ構造２２を挿入するための上方開口１５０を有する。カバー装置１５２、例えば、蓋が、食品調理中に開口１５０を閉じるために設けられる。例えば、コンテナ構造２２は、より簡単な取扱いのためのハンドルバー又はグリップ部分１５６を持つ取外し可能なポット又はバスケット１５４として提供される。
【００７７】
図３と関連しても示される、さらなる例では、センサ手段１６０が、空気移動装置１４によって供給される空気流の空気温度を検出するために、空気移動装置１４と関連して設けられる。例えば、センサ手段１６０は、空気移動装置１４のハウジング構造の内部に配置されたセンサである。センサ手段はまた、空気移動装置の下流に空気出口とコンテナ構造の底壁との間に設けられ得る。センサは、例えば、加熱装置の故障のために、加熱装置によって加熱された空気が熱くなり過ぎているかどうかを検出することができる。
【００７８】
図３と関連しても示される、さらなる例によれば、取外し可能なパン（ｐａｎ）構造１７０が、少なくとも部分的に食品調理チャンバの下に設けられる。例えば、食品調理チャンバ１２は、取外し可能なパン構造１７０の中に少なくとも部分的に挿入される。空気案内ダクト１７２が、取外し可能なパン構造１７０と底壁２８との間に設けられる。空気案内ダクト１７２は、加熱された空気流を、空気出口、例えば、半径方向空気出口７４から、空気入口開口３０に案内するために設けられる。空気案内ダクトは、物理的な特徴部として取外し可能なパン構造及び底壁によって提供され、食品調理チャンバは、食品調理チャンバを少なくとも部分的に囲むコンテナ壁によって画定される空間又は領域に関連する。
【００７９】
例では、取外し可能なパン構造は、１つの取外し可能なパンとして設けられる。他の例では、２以上の取外し可能なパンが設けられる。
【００８０】
さらなる例では、取外し可能でないパン構造が設けられ、例えば、パンは、ハウジングに固定され、独立して取外し可能な小さい油及び小片収集コンテナが設けられる。
【００８１】
図３は、１つの実施形態に上述の異なる態様を示しているが、例えば、案内部分の態様、センサ手段の態様、遠心ファンの態様、取外し可能なパン構造の態様は、それぞれの他の特徴と共に組み合わせて、又は、それぞれの他の特徴なしで、すなわち、異なる様々な組み合わせで、提供されることができることが、留意されなければならない。
【００８２】
更なる実施形態を示す次の図を参照する前に、本発明の幾つかの一般的な態様が、次に記載される。
【００８３】
「見えない所に」の表現は、直接接続線が他の構造によってブロックされるので、加熱装置と受入容積、すなわち、特に受入容積の中に配置される食品、との間の直接の（直線の）線が不可能である配置に関連する。
【００８４】
加熱装置によって供給される熱エネルギは、熱対流を介して主に伝達される。空気流は、熱エネルギを調理されることになる食品に輸送するとともに伝達している。しかし、加熱装置からの放射のいくらかは、例えば、蓋によって反射され得る。それにもかかわらず、この放射熱の形態の結果として生じるエネルギの流れは、対流部分よりはるかに低い。例えば、加熱装置は、調理されている食品に対して、隠された方法で配置される。１つの例では、側壁が、受入容積に関して加熱装置からの放射熱から遮る、すなわち、側壁は、加熱装置と受入容積との間の接続の直接線に対するバリアである。これは、食品が、加熱装置からの直接の放射によって加熱されることを回避するが、生成された加熱された空気によって供給される空気のみによってのみ加熱される。それでもなお、食品の上部のリフレクタが、加熱された空気によって食品に供給される熱エネルギの改良された使用のために提供され得る。受入容積は、加熱装置からの直接の放射による如何なる熱伝達も受けない。
【００８５】
「空気移動装置」はまた、ファン装置又は換気装置とも称される。空気移動装置は、調理されることになる食品を加熱するために循環する方法で加熱された空気の移動を提供する。空気移動装置は、１つの例では、他の空気のパラメータを変えることなしに空気の移動を提供する。他の例では、空気移動装置はまた、例えば、湿度、酸素含有量、再使用される空気と新鮮な空気入力の比のような、他の空気の特性／パラメータに影響を与えること又は同特性／パラメータを調整することを提供する。加熱された空気は、異なる挿入温度を有する食品に供給され得る。例えば、冷凍フライに加熱された空気を適用する場合、ヒータによって加熱される空気に供給される熱エネルギは冷凍フライにほぼ完全に伝達されるので、結果として生じる空気流は、少なくとも第１の期間において、例えば、最初の１０から３０秒の間、０℃未満の温度であり得る。食品調理プロセスの終わりにおいて、空気温度は、１４０℃から２００℃又はそれより高くに達し得る。空気温度は、食品の種類に応じて、調整可能であり得る。
【００８６】
コンテナ構造は、底壁及び周囲の連続側壁、又は幾つかの側壁を設けることによってポット又はパンの形態で食品調理チャンバを部分的に取り囲み得る。
【００８７】
コンテナ構造は、底壁及び側壁だけでなく、蓋又はカバーのような閉鎖上部構造も設けることによって、閉鎖ポット又はパンの形態で食品調理チャンバを完全に取り囲み得る。
【００８８】
いずれの場合でも、加熱された空気の流れを食品調理チャンバに入れさせるための、すなわち、空気入口開口を経由した、及びまた、空気を食品調理チャンバを出させるための、すなわち、空気排出開口を経由した、対策が取られる。
【００８９】
空気流と関連する「開口」の表現は、空気が通過する能力に関連する。これは、例えば、ふるい（ｓｉｅｖｅ）、格子、又はメッシュ様構造によって提供され得る。「加熱された空気」の表現は、食品調理プロセスの最後、又は温度ピークにおいて、約８０から２００℃の温度範囲に加熱された空気に関連する。空気は、異なる量の相対湿度を備え得る。例えば、５から１００％の相対湿度範囲が提供され得る。
【００９０】
「食品調理チャンバの側方」の表現は、水平方向における食品調理チャンバの側部又は横の空気移動装置の配置を示す。例えば、空気移動装置は、食品調理チャンバの側壁の隣に位置する。空気移動装置はまた、空気移動装置がコンテナ構造の上に拡がるように、水平方向において側方に位置し得るとともに、上方に動かされ得る。
【００９１】
用語「水平」は、通常の動作において、水平面又は軸に関連する。用語「垂直」は、それぞれの垂直面又は軸に関連する。
【００９２】
例えば、用語水平は、例えば、キッチンの机面又は作業面に関連する。他の例では、用語垂直は水平に対して垂直な線に関連する。
【００９３】
例えば、空気放出開口３２は、コンテナ構造２２の側壁部分によって提供される。
【００９４】
例では、放出開口３２は、コンテナ構造２２の上方に配向された開口として提供される。他の例では、放出開口３２は、コンテナ構造２２の側壁部分によって提供される。
【００９５】
用語「底壁」は、通常の動作状態において下方を向く、下方部分に設けられた壁セグメント又は壁領域を示す。用語「側壁」はまた、連続した側壁又は複数の側壁セグメントを用いた側壁配置を示す。
【００９６】
遠心ファンに関連して、「軸方向空気入口」の表現は、例えば、遠心ファンの回転軸の近くに、又は軸流ファンの回転軸の近くに設けられた、空気移動装置の空気入口又は吸引開口に関連する。遠心ファンの場合、空気入口は、回転軸と遠心ファンの回転するブレード（又は羽根）によって描かれる外周との間に設けられ得る。
【００９７】
例では、空気移動装置は、加熱装置の下流に設けられる。他の例では、加熱装置は、空気移動装置の下流に設けられる。さらなる例では、加熱が、空気移動装置の上流及び下流で提供される。
【００９８】
空気出口は、既に上で述べたように、半径方向空気出口として提供され得る。しかし、空気は、接線方向の運動成分も伴って吹出され得る。例では、受入容積２４は、食品調理チャンバ１２のサブ容積（すなわち、容積の一部）である。
【００９９】
空気移動装置１４の傾斜配置は、空気流の循環部分が、最小化された程度の空気ダクト又は空気経路の曲げを備え、最も急な曲げがファンの空気入口に位置するという効果を提供する。これは、空気流に関する最小化された抵抗を意味し、したがって、空気流量を向上させる。
【０１００】
図６は、さらなる例を示し、収集容積１８２を持つ収集装置１８０が、残留物を収集するために食品調理チャンバ１２の下に設けられる。用語「残留物」は、例えば、油、及び小片を示す。
【０１０１】
さらなる例では、空気案内要素１８４が設けられ、コンテナ構造２２の下の水平空気流１８６を空気入口開口３０の方へ上方方向に向ける。収集装置１８０は、水平空気流１８６から離れる方を向く側１８８で空気案内要素１８４の横に配置される。
【０１０２】
収集装置１８０は、空気案内要素の風下に配置される、すなわち、空気案内要素は、加熱空気流の遮蔽を提供する。例では、収集装置は、着脱可能又は取外し可能なパンの少なくとも１つの凹所によって提供される。
【０１０３】
例では、取外し可能なパンは、排流開口を備え、取外し可能な収集容器が開口の下に設けられる（さらに示されていない）。
【０１０４】
さらなる例では、収集装置は、取外し可能なパンの凹所の中に設置される独立した嵌め込み細工（ｉｎｌａｙ）として提供される（これもまたさらに示されていない）。
【０１０５】
図７は、さらなる例を、図７Ａに断面で、及び図７Ｂに斜視図で示す。空気分配ダクト１９０が、底壁２８の空気入口開口３０の下に設けられる。空気ガイド１９２が、空気入口開口３０の下の空気分配ダクト１９０の下方表面１９４に配置された隆起部として設けられる。例えば、隆起部は、空気分配ダクト１９０の断面に渡って延びている。例では、隆起部は、例えば１つの部分において又は離れた部分においても、断面の少なくとも３分の１に渡って延びている。さらなる例では、隆起部は、断面の少なくとも半分に渡って延びている。さらなる例では、隆起部は、全断面に渡って延びている。例えば、図示されるように、隆起部は、図７Ｂに示されるように、断面の全幅に渡って延びている。空気ガイド１９２は、斜めにされた方法で配置され、第１の点線１９８で示される直線の延長と、空気分配ダクトの全般の又は平均の方向の垂線（又は直角の角度）との間の角度１９６で示され、この垂線は第２の点線２００で示されている。空気ガイドは、空気入口開口３０の下で、均一に分配された空気流が供給されるように、空気出口の吹出し方向の垂直方向に対して斜めにされた方法で配置される。これは、図７Ｂの３つの空気流を示す矢印２０２で示されている。
【０１０６】
「斜めにされた方法」は、吹出し方向の垂直方向に対する少なくとも５°又は１０°の角度に関連する。「吹出し方向」は、吹出し空気流の中心空気流方向に関連する。
【０１０７】
隆起部は、上述のように、幅の完全な断面に渡って、又は一部のみに渡っても、拡がり得る。さらに、空気ガイド１９２は、図示されるように、直線の空気ガイドとして提供されることができる。他の例（図示せず）では、空気ガイドは、湾曲した方法で提供される。
【０１０８】
図８は、さらなる例を示し、流れ拡散器２１０が、空気移動装置１４の空気出口２１２と底壁２８の空気入口開口３０の下に設けられた空気分配領域２１４との間に設けられる。流れ拡散器は、空気出口の非対称の空気出力を補償するために、空気通過方向を横切る、両矢印２１８で示される、減少する断面を持つダクトセグメント２１６として提供される。流れ拡散器は、空気ダクトの傾斜壁として提供される。例えば、底壁セグメントは水平に対して傾けられる。例では、リップ（ｒｉｐ）構造がダクトセグメント２１６に設けられる。例えば、傾斜壁は、水平に対する回転面の傾斜角度より小さい水平に対する傾斜角度を有する。例えば、第１の角度２２０は、水平に対する回転面の角度を示し、第２の角度２２２は、水平との、傾斜壁、例えば、壁セグメント２２４の角度を示す。見て分かるように、第２の角度は、第１の角度より小さい。
【０１０９】
図９は、例えば、卓上機器装置で、食品を調理するための方法３００の例を示し、以下のステップを含む。第１のステップ３０２では、食品が、調理されることになる食品を受け入れるための受入容積を少なくとも部分的に囲むコンテナ構造によって提供される食品調理チャンバに供給される。第２のステップ３０４では、高温空気の通過流動が、食品調理チャンバに供給される。高温空気の通過流動は、空気移動装置及び加熱装置によって供給される。循環空気流が、コンテナ構造の放出開口から加熱装置及び空気移動装置を経由してコンテナ構造の空気入口開口への空気ダクト装置を提供する空気案内手段によって提供される。
【０１１０】
空気の移動のために、空気入口及び空気出口を持つファンが設けられ、ファンは、食品調理チャンバの側方に設けられる。
【０１１１】
第１のステップ３０２は、ステップａ）とも称され、第２のステップ３０４はステップｂ）とも称される。
【０１１２】
空気は、さらなる例では、受入容積から見えない所に配置される加熱装置によって加熱される。
【０１１３】
方法のさらなる例は異なる実施形態の上述の特徴と関連して提供されることが留意されなければならない。
【０１１４】
本発明の実施形態は、異なる主題を参照して記載さていることが留意されなければならない。特に、いくつかの実施形態では、方法形式の請求項を参照して記載されている一方、他の実施形態が装置形式の請求項を参照して記載されている。しかし、当業者は、他に注記されない限り、１つのタイプの主題に属する特徴の組み合わせに加えて、異なる主題に関する特徴間の任意の組み合わせが、本願に開示されているとみなされることを、上述した説明及び以下の説明から推測するだろう。しかし、全ての特徴は、これら特徴の単純な合計を超える相乗効果を提供するように組み合わせることができる。
【０１１５】
本発明は、図面及び上記説明において詳細に例示かつ説明されたが、当該例示及び説明は、例示的であって限定的に解釈されるべきではない。本発明は、開示された実施形態に限定されない。開示された実施形態に対する他の変形態様も、図面、開示内容及び添付の請求項を検討することにより、請求項に係る発明を実施する当業者には理解されかつ実施可能である。
【０１１６】
請求項において、用語「有する」は、他の要素又はステップを排除するものではなく、また、不定冠詞“ａ”又は“ａｎ”は、複数形を排除するものではない。単一のプロセッサ又は他のユニットが、請求項に記載される幾つかのアイテムの機能を実現してもよい。ある手段が相互に異なる従属請求項に記載されることは、これらの手段の組み合わせが有利に使用することができないことを示すものではない。請求項における如何なる参照符号も範囲を限定するものとして解釈されるべきではない。